【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
基地局装置と通信を行う端末装置であって、
物理下りリンク制御チャネルと拡張物理下りリンク制御チャネルとをモニタリングする下りリンク制御チャネル検出部と、
前記拡張物理下りリンク制御チャネルをモニタリングするための拡張物理下りリンク制御チャネル領域を示す情報と前記拡張物理下りリンク制御チャネル領域が局所的送信であるか分散的送信であるかを示す情報とを取得する上位層制御情報取得部と、を備え、
前記拡張物理下りリンク制御チャネル領域は、複数のリソースブロックペアから構成され、
前記複数のリソースブロックペアの各々は、複数の第１のリソースエレメントの集合を含み、
Ｋ個（Ｋは１より大きい所定の自然数）の第１のリソースエレメントの集合は第２のリソースエレメントの集合を構成し、
拡張物理下りリンク制御チャネル要素は、複数の前記第１のリソースエレメントの集合に対応し、
前記拡張物理下りリンク制御チャネルは１つ以上の前記拡張物理下りリンク制御チャネル要素を用いて送信され、
Ｋ個の前記拡張物理下りリンク制御チャネル要素は、Ｋ個の第２のリソースエレメントの集合に対応する、端末装置。
【請求項２】
前記拡張物理下りリンク制御チャネル領域が分散的送信である場合、
１つの前記拡張物理下りリンク制御チャネル要素は、少なくとも２つの前記第２のリソースエレメントの集合に含まれる複数の前記第１のリソースエレメントの集合に対応する請求項１に記載の端末装置。
【請求項３】
前記上位層制御情報取得部は、２つの前記拡張物理下りリンク制御チャネル領域を示す情報を取得する請求項１に記載の端末装置。
【請求項４】
前記第２のリソースエレメントの集合を構成する前記Ｋ個の第１のリソースエレメントの集合は、一つのリソースブロックペアに含まれることを特徴とする請求項１に記載の端末装置。
【請求項５】
端末装置と通信を行う基地局装置であって、
物理下りリンク制御チャネルと拡張物理下りリンク制御チャネルとを送信する下りリンク制御チャネル送信部と、
前記端末装置が前記拡張物理下りリンク制御チャネルをモニタリングするための拡張物理下りリンク制御チャネル領域を示す情報と前記拡張物理下りリンク制御チャネル領域が局所的送信であるか分散的送信であるかを示す情報とを通知する上位層制御情報通知部と、を備え、
前記拡張物理下りリンク制御チャネル領域は、複数のリソースブロックペアから構成され、
前記複数のリソースブロックペアの各々は、複数の第１のリソースエレメントの集合を含み、
Ｋ個（Ｋは１より大きい所定の自然数）の第１のリソースエレメントの集合は第２のリソースエレメントの集合を構成し、
拡張物理下りリンク制御チャネル要素は、複数の前記第１のリソースエレメントの集合に対応し、
前記拡張物理下りリンク制御チャネルは１つ以上の前記拡張物理下りリンク制御チャネル要素を用いて送信され、
Ｋ個の前記拡張物理下りリンク制御チャネル要素は、Ｋ個の第２のリソースエレメントの集合に対応する、基地局装置。
【請求項６】
前記拡張物理下りリンク制御チャネル領域が分散的送信である場合、
１つの前記拡張物理下りリンク制御チャネル要素は、少なくとも２つの前記第２のリソースエレメントの集合に含まれる複数の前記第１のリソースエレメントの集合に対応する請求項５に記載の基地局装置。
【請求項７】
前記上位層制御情報通知部は、２つの前記拡張物理下りリンク制御チャネル領域を示す情報を通知する請求項５に記載の基地局装置。
【請求項８】
前記第２のリソースエレメントの集合を構成する前記Ｋ個の第１のリソースエレメントの集合は、一つのリソースブロックペアに含まれることを特徴とする請求項５に記載の基地局装置。
【請求項９】
基地局装置と通信を行う端末装置における通信方法であって、
物理下りリンク制御チャネルと拡張物理下りリンク制御チャネルとをモニタリングするステップと、
前記拡張物理下りリンク制御チャネルをモニタリングするための拡張物理下りリンク制御チャネル領域を示す情報と前記拡張物理下りリンク制御チャネル領域が局所的送信であるか分散的送信であるかを示す情報とを取得するステップと、を含み、
前記拡張物理下りリンク制御チャネル領域は、複数のリソースブロックペアから構成され、
前記複数のリソースブロックペアの各々は、複数の第１のリソースエレメントの集合  を含み、
Ｋ個（Ｋは１より大きい所定の自然数）の第１のリソースエレメントの集合は第２のリソースエレメントの集合  を構成し、
拡張物理下りリンク制御チャネル要素は、複数の前記第１のリソースエレメントの集合に対応し、
前記拡張物理下りリンク制御チャネルは１つ以上の前記拡張物理下りリンク制御チャネル要素を用いて送信され、
Ｋ個の前記拡張物理下りリンク制御チャネル要素は、Ｋ個の第２のリソースエレメントの集合に対応する、通信方法。
【請求項１０】
端末装置と通信を行う基地局装置における通信方法であって、
物理下りリンク制御チャネルと拡張物理下りリンク制御チャネルとを送信するステップと、
前記端末装置が前記拡張物理下りリンク制御チャネルをモニタリングするための拡張物理下りリンク制御チャネル領域を示す情報と前記拡張物理下りリンク制御チャネル領域が局所的送信であるか分散的送信であるかを示す情報とを通知するステップと、を含み、
前記拡張物理下りリンク制御チャネル領域は、複数のリソースブロックペアから構成され、
前記複数のリソースブロックペアの各々は、複数の第１のリソースエレメントの集合  を含み、
Ｋ個（Ｋは１より大きい所定の自然数）の第１のリソースエレメントの集合は第２のリソースエレメントの集合  を構成し、
拡張物理下りリンク制御チャネル要素は、複数の前記第１のリソースエレメントの集合に対応し、
前記拡張物理下りリンク制御チャネルは１つ以上の前記拡張物理下りリンク制御チャネル要素を用いて送信され、
Ｋ個の前記拡張物理下りリンク制御チャネル要素は、Ｋ個の第２のリソースエレメントの集合に対応する、通信方法。
【請求項１１】
基地局装置と通信を行う端末装置に実装される集積回路であって、
物理下りリンク制御チャネルと拡張物理下りリンク制御チャネルとをモニタリングする機能と、
前記拡張物理下りリンク制御チャネルをモニタリングするための拡張物理下りリンク制御チャネル領域を示す情報と前記拡張物理下りリンク制御チャネル領域が局所的送信であるか分散的送信であるかを示す情報とを取得する機能と、を含む一連の機能を前記端末装置に発揮させ、
前記拡張物理下りリンク制御チャネル領域は、複数のリソースブロックペアから構成され、
前記複数のリソースブロックペアの各々は、複数の第１のリソースエレメントの集合  を含み、
Ｋ個（Ｋは１より大きい所定の自然数）の第１のリソースエレメントの集合は第２のリソースエレメントの集合  を構成し、
拡張物理下りリンク制御チャネル要素は、複数の前記第１のリソースエレメントの集合に対応し、
前記拡張物理下りリンク制御チャネルは１つ以上の前記拡張物理下りリンク制御チャネル要素を用いて送信され、
Ｋ個の前記拡張物理下りリンク制御チャネル要素は、Ｋ個の第２のリソースエレメントの集合に対応する、集積回路。
【請求項１２】
端末装置と通信を行う基地局装置に実装される集積回路であって、
物理下りリンク制御チャネルと拡張物理下りリンク制御チャネルとを送信する機能と、
前記端末装置が前記拡張物理下りリンク制御チャネルをモニタリングするための拡張物理下りリンク制御チャネル領域を示す情報と前記拡張物理下りリンク制御チャネル領域が局所的送信であるか分散的送信であるかを示す情報とを通知する機能と、を含む一連の機能を前記基地局装置に発揮させ、
前記拡張物理下りリンク制御チャネル領域は、複数のリソースブロックペアから構成され、
前記複数のリソースブロックペアの各々は、複数の第１のリソースエレメントの集合  を含み、
Ｋ個（Ｋは１より大きい所定の自然数）の第１のリソースエレメントの集合は第２のリソースエレメントの集合  を構成し、
拡張物理下りリンク制御チャネル要素は、複数の前記第１のリソースエレメントの集合に対応し、
前記拡張物理下りリンク制御チャネルは１つ以上の前記拡張物理下りリンク制御チャネル要素を用いて送信され、
Ｋ個の前記拡張物理下りリンク制御チャネル要素は、Ｋ個の第２のリソースエレメントの集合に対応する、集積回路。
【手続補正２】
【補正対象書類名】明細書
【補正対象項目名】発明の名称
【補正方法】変更
【補正の内容】
【発明の名称】端末装置、基地局装置、通信方法および集積回路
【手続補正３】
【補正対象書類名】明細書
【補正対象項目名】０００１
【補正方法】変更
【補正の内容】
【０００１】
本発明は、端末装置、基地局装置、通信方法および集積回路に関する。
【手続補正４】
【補正対象書類名】明細書
【補正対象項目名】０００６
【補正方法】変更
【補正の内容】
【０００６】
本発明は、上記問題を鑑みてなされたものであり、その目的は、基地局と端末が通信する無線通信システムにおいて、基地局が端末に対する制御情報を、物理下りリンク制御チャネルだけでなく、拡張された物理下りリンク制御チャネルを介して通知する場合においても、効率的に各端末宛の送信データあるいは複数の端末に共通の送信データの指定を行うことができる端末装置、基地局装置、通信方法および集積回路を提供することにある。